(57)【要約】【課題】荷台スペースに荷物を容易にかつ整然と収納することができ、ビジネスやレジャーのＴＰＯに合わせたフレキシブルな収納機能を奏することが可能な荷台スペース用の収納器具を提供する。【解決手段】収納ボックスセット１は、荷台スペースの左右に設置される左右対称で二個一対のサイド収納ボックス２ａ，２ｂと、それらのサイド収納ボックス２ａ，２ｂの間に設置される略直方体状のセンター収納ボックス３とを有している。また、それらのサイド収納ボックス２ａ，２ｂおよびセンター収納ボックス３には、それぞれ、同一の高さの水平面Ｆを形成可能な蓋体６，６，７が設けられている。【選択図】図１
2017154589.tif 000002
【特許請求の範囲】
【請求項１】
ワゴン、バンタイプ等の自動車の荷台スペースに設置するための複数の収納ボックスからなる収納ボックスセットであって、
前記荷台スペースの左右に配置される左右対称で二個一対のサイド収納ボックスと、
それらのサイド収納ボックスの間に設置される略直方体状のセンター収納ボックスとを有しており、
それらのサイド収納ボックスおよびセンター収納ボックスが、それぞれ、同一の高さの水平面を形成可能な蓋板を設けたものであることを特徴とする収納ボックスセット。
【請求項２】
前記サイド収納ボックスが、
自動車のタイヤハウスの後面とリアドアとの隙間に嵌合可能な膨出部を有するものであることを特徴とする請求項１に記載の収納ボックスセット。
【請求項３】
前記サイド収納ボックスが、
自動車のタイヤハウスを嵌め込み可能な凹部を有するものであることを特徴とする請求項１、または請求項２に記載の収納ボックスセット。
【請求項４】
前記サイド収納ボックスおよび前記センター収納ボックスが、それぞれ、上面を開口した扁平な柱状の箱本体に、蓋体を観音開き可能に取り付けたものであることを特徴とする請求項１〜３のいずれかに記載の収納ボックスセット。
【請求項５】
ワゴン、バンタイプ等の自動車の荷台スペースの利用方法であって、
荷台スペースのタイヤハウスとウインドウとの間の高さ位置に水平面を形成し、その水平面によって荷台スペースに上下２段の収納スペースを形成することを特徴とする自動車の荷台スペースの利用方法。
【請求項６】
蓋体を設けた複数の収納ボックスを、荷台スペースの略全面に亘って略隙間なく敷き詰め、それらの収納ボックスの蓋体によって、荷台スペースのタイヤハウスとウインドウとの間の高さ位置に前記水平面を形成することを特徴とする請求項５に記載の自動車の荷台スペースの利用方法。
【発明の詳細な説明】
【技術分野】
【０００１】
本発明は、荷物の収納の目的で、商用車等として使用されるワンボックス系車両や、乗用車等として使用されるワゴン系車両の後部座席後方の荷台スペースに設置される収納ボックスセット、および、ワンボックス系車両やワゴン系車両の荷台スペースの有効な利用方法に関するものである。
【背景技術】
【０００２】
ワンボックス系車両や、ワゴン系車両の後部座席後方の荷台スペースは、比較的に容積が大きいにもかかわらず、仕切り等がなされていない上、タイヤハウスが内側に突出していることもあって、荷物を整然と収納することができない。殊に、収納する荷物が、直方体状ではなく不定形のものであると、安定した状態に積み上げることができないため、荷台スペースの上側の空間が無駄なものとなってしまう。
【０００３】
それゆえ、そのようなワンボックス系車両やワゴン系車両等の荷台スペースを有効に利用して荷物を整然と収納するための部材として、複数の棒状フレーム要素を継手金具によって組み立てたラックフレームと、それらのラックフレームに複数段に設けられた棚板とからなる車両搭載用組立式ラックが知られている（特許文献１）。
【先行技術文献】
【特許文献】
【０００４】
【特許文献１】特開平７−１３２７７６号公報
【発明の概要】
【発明が解決しようとする課題】
【０００５】
しかしながら、上記特許文献１の如き車両搭載用組立式ラックは、組み立てに多大な手間および時間が掛かる、という不具合がある。その上、一旦、組み立てて荷台スペースに設置してしまうと、大きな荷物を積み込む際には、その車両搭載用組立式ラック自体が邪魔になってしまう、という不具合もある。すなわち、特許文献１の車両搭載用組立式ラックは、ビジネスやレジャーのＴＰＯに合わせて様々な形状、大きさを有する物品を収納する、というフレキシブルな収納機能を奏することができなかった。
【０００６】
本発明の目的は、上記従来の荷台スペースの収納器具が有する問題点を解消し、荷台スペースに荷物を容易にかつ整然と収納することができ、ビジネスやレジャーのＴＰＯに合わせたフレキシブルな収納機能を奏することが可能な荷台スペース用の収納器具を提供すること、および、荷台スペースの有効な利用方法を提供することにある。
【課題を解決するための手段】
【０００７】
本発明の内、請求項１に記載された発明は、ワゴン、バンタイプ等の自動車の荷台スペースに設置するための複数の収納ボックスからなる収納ボックスセットであって、前記荷台スペースの左右に設置される左右対称で二個一対のサイド収納ボックスと、それらのサイド収納ボックスの間に設置される略直方体状のセンター収納ボックスとを有しており、それらのサイド収納ボックスおよびセンター収納ボックスが、それぞれ、同一の高さの水平面を形成可能な蓋体を設けたものであることを特徴とするものである。なお、本発明でいう自動車とは、荷物を載せるための空間が後部座席と連続したワンボックス、ワゴン、バンタイプの自動車のことである。
【０００８】
請求項２に記載された発明は、請求項１に記載された発明において、前記サイド収納ボックスが、自動車のタイヤハウスの後面とリアドアとの隙間に嵌合可能な膨出部を有するものであることを特徴とするものである。
【０００９】
請求甲３に記載された発明は、請求項１、または請求項２に記載された発明において、前記サイド収納ボックスが、自動車のタイヤハウスを嵌め込み可能な凹部を有するものであることを特徴とするものである。
【００１０】
請求項４に記載された発明は、請求項１〜３のいずれかに記載された発明において、前記サイド収納ボックスおよび前記センター収納ボックスが、それぞれ、上面を開口した扁平な柱状の箱本体に、蓋体を観音開き可能に取り付けたものであることを特徴とするものである。
【００１１】
請求項５に記載された発明は、ワゴン、バンタイプ等の自動車の荷台スペースの利用方法であって、荷台スペースのタイヤハウスとウインドウとの間の高さ位置に水平面を形成し、その水平面によって荷台スペースに上下２段の収納スペースを形成することを特徴とするものである。
【００１２】
請求項６に記載された発明は、請求項５に記載された発明において、蓋体を設けた複数の収納ボックスを、荷台スペースの略全面に亘って略隙間なく敷き詰め、それらの収納ボックスの蓋体によって、荷台スペースのタイヤハウスとウインドウとの間の高さ位置に前記水平面を形成することを特徴とするものである。
【発明の効果】
【００１３】
請求項１の収納ボックスセットによれば、サイド収納ボックスおよびセンター収納ボックスの内部に荷物を収納することができる上、それらのサイド収納ボックスおよびセンター収納ボックスの蓋体によって同一の高さの水平面が形成されるため、当該水平面の上側にも、荷台スペースの床面上と同様に、自由に荷物を戴置することが可能となる。したがって、請求項１の収納ボックスセットによれば、荷台スペースの上側の空間を無駄にすることなく、有効に利用して、荷物を整然と収納することができる。また、請求項１の収納ボックスセットは、荷台スペース内に単純に戴置するだけのものであるので、荷台スペース内に特に大きな物品を収納する場合等には、大きな力を必要とすることなく、サイド収納ボックスとセンター収納ボックスとを別々に容易に外に出すことができる。したがって、請求項１の収納ボックスセットによれば、ビジネスやレジャーのＴＰＯに合わせてフレキシブルに荷物を収納することが可能となる。
【００１４】
請求項２の収納ボックスセットは、サイド収納ボックスが自動車のタイヤハウスの後面と車両のリアドアとの隙間に嵌合可能な膨出部を有するものであるため、所謂“空きスペース”を形成することなく、荷台スペースをより有効に利用することができる。また、自動車の内壁面と、サイド収納ボックスとの間の隙間が小さくなるため、自動車の走行時におけるサイド収納ボックスのがたつきを低減させることができる。
【００１５】
請求項３の収納ボックスセットは、サイド収納ボックスが自動車のタイヤハウスを嵌め込み可能な凹部を有するものであるため、荷台スペースのタイヤハウス周辺の“空きスペース”をより低減させることができ、荷台スペース内に非常に効率的に荷物を収納することが可能となる。
【００１６】
請求項４の収納ボックスセットは、サイド収納ボックスおよびセンター収納ボックスが、それぞれ、上面を開口した扁平な柱状の箱本体に、蓋体を観音開き可能に取り付けたものであるため、蓋体が各収納ボックスの壁面で支えられた状態となるので、蓋体によって形成された水平面上に、荷重の大きな荷物を収納することができきる。
【００１７】
請求項５の荷台スペースの利用方法は、荷台スペースのタイヤハウスとウインドウとの間の高さ位置に水平面を形成し、その水平面によって荷台スペースに上下２段の収納スペースを形成するものであるので、形成された水平面の下側に荷物を収納することができるとともに、形成された水平面の上側にも、荷台スペースの床面上と同様に、自由に荷物を戴置することが可能となる。したがって、請求項５の荷台スペースの利用方法によれば、荷台スペースの上側の空間を無駄にすることなく、有効に利用して、物品を整然と収納することができる。
【００１８】
請求項６の荷台スペースの利用方法は、蓋体を設けた複数の収納ボックスを、荷台スペースの略全面に亘って略隙間なく敷き詰め、それらの収納ボックスの蓋体によって、荷台スペースのタイヤハウスとサイドウインドウとの間の高さ位置に水平面を形成するものであるので、荷台スペース内に特に大きな荷物を収納する場合等には、大きな力を必要とすることなく、複数の収納ボックスを別々に容易に外に出すことができる。したがって、請求項６の荷台スペースの利用方法によれば、ビジネスやレジャーのＴＰＯに合わせてフレキシブルに荷物を収納することが可能となる。
【図面の簡単な説明】
【００１９】
【図１】自動車の荷台スペースに収納ボックスセットを設置した状態を示す説明図（斜視図）である。
【図２】自動車の荷台スペースに収納ボックスセットを設置した状態を示す説明図（側面図）である。
【図３】自動車の荷台スペースに収納ボックスセットを設置した状態を示す説明図（平面図）である。
【図４】サイド収納ボックス（ａ）およびセンター収納ボックス（ｂ）を示す説明図である。
【図５】サイド収納ボックスの変更例を示す説明図である（ａは平面図であり、ｂは側面図である）。
【発明を実施するための形態】
【００２０】
＜収納ボックスセットの構造＞
以下、本発明に係る収納ボックスセットの一実施形態について、図面に基づいて詳細に説明する。図１〜３は、収納ボックスセット１を、自動車の荷台スペースに設置した状態を示したものである。収納ボックスセット１は、自動車Ｖの荷台スペースの左右に配置される２つのサイド収納ボックス２ａ，２ｂと、それらのサイド収納ボックス２ａ，２ｂの間に設置されるセンター収納ボックス３と、サイド収納ボックス２ａ，２ｂおよびセンター収納ボックス３の前方に設置される６個の補助収納ボックス４ａ〜４ｆとによって構成されている。なお、左右両側に位置した４つの補助収納ボックス４ａ，４ｃ，４ｄ，４ｆは同一の形状を有しており、中央に位置した２つの補助収納ボックス４ｂ，４ｅとセンター収納ボックス３とは同一の形状を有している。
【００２１】
図４（ａ）は、右側（自動車Ｖの後方から見た場合の右側）のサイド収納ボックス２ｂを示したものである。サイド収納ボックス２ｂは、箱本体９が略直方体形状に形成されており、幅×奥行き×高さ＝４９０ｍｍ×３９０ｍｍ×３９０ｍｍの大きさを有している。また、片側（外側）の側面が、外側へ膨出した状態になっており、当該膨出部分５の幅（図３におけるａ）が、設置される自動車ＶのタイヤハウスＨの突出幅と略同一になっている。さらに、サイド収納ボックス２ｂの箱本体９の正面板９ａ、背面板９ｂ、および片方の側面板（内側の側面板）９ｃは、一定の大きさの矩形（１３０ｍｍ×１３０ｍｍ）の合成樹脂製パネルｐを金具によって結合させることによって所定の大きさの矩形の平板状に形成されている。一方、サイド収納ボックス２ｂの底板（図示せず）は、合成樹脂によって一枚の板状に一体成形されたものである。さらに、サイド収納ボックス２ｂの背面板９ｄの上端縁には、合成樹脂によって一枚の板状に一体成形された蓋体６が、蝶番によって観音開き可能に装着されている。なお、左側（自動車Ｖの後方から見た場合の左側）のサイド収納ボックス２ａは、右側のサイド収納ボックス２ｂと左右対称に形成されている。
【００２２】
一方、図４（ｂ）は、センター収納ボックス３を示したものである。センター収納ボックス３は、箱本体１０が略直方体状に形成されており、幅×奥行き×高さ＝２６０ｍｍ×３９０ｍｍ×３９０ｍｍの大きさを有している。当該センター収納ボックス３の箱本体１０の正面板１０ａ、背面板１０ｂ、左右の側面板１０ｃ，１０ｃ、および底面板（図示せず）は、上記したサイド収納ボックス２ｂの正面板９ａ等と同様に、一定の大きさの矩形の合成樹脂製パネルｐを金具によって結合させることによって所定の大きさの矩形の平板状に形成されている。さらに、センター収納ボックス３の背面板１０ｄの上端線には、一定の大きさの矩形の合成樹脂製パネルｐを金具によって結合させることによって所定の大きさの矩形（略長方形）の平板状に形成された蓋体７が、蝶番によって観音開き可能に装着されている。
【００２３】
また、左右の補助収納ボックス４ａ，４ｃ，４ｄ，４ｆは、箱本体１１が略立方体状に形成されており、幅×奥行き×高さ＝３９０ｍｍ×３９０ｍｍ×３９０ｍｍの大きさを有している。当該補助収納ボックスの箱木体１１の正面板、背面板、左右の側面板、および底面板は、上記したサイド収納ボックス２ｂの正面板９ａ等と同様に、一定の大きさの矩形の合成樹脂製パネルｐを金具によって結合させることによって所定の大きさの矩形（略正方形）の平板状に形成されている。さらに、補助収納ボックス４ａ，４ｃ，４ｄ，４ｆの背面板の上端縁にも、合成樹脂製パネルｐを金具によって結合させることによって所定の大きさの矩形（略正方形）の平板状に形成された蓋体８が、蝶番によって観普開き可能に装着されている。
【００２４】
＜収納ボックスセットの使用方法＞
上記の如く構成された収納ボックスセット１は、図１の如く、各サイド収納ボックス２ａ，２ｂが、それぞれ、自動車ＶのタイヤハウスＨの後面と車両のリアドアＤとの隙間に膨出部５を嵌合させた状態で、自動車Ｖの荷台スペースの左右に設置され、それらの各サイド収納ボックス２ａ，２ｂの間に、センター収納ボックス３が前後に縦長になるように設置される。そして、それらのサイド収納ボックス２ａ，２ｂ、センター収納ボックス３の前方に、補助収納ボックス４ａ〜４ｆが設置される。その際には、各サイド収納ボックス２ａ，２ｂの蓋体６，６、センター収納ボックス３の蓋体７、および補助収納ボックス４ａ〜４ｆの蓋体８，８・・を、奥方に位置させる。
【００２５】
そのように各収納ボックスが設置された収納ボックスセット１においては、各サイド収納ボックス２ａ，２ｂの蓋体６，６、センター収納ボックス３の蓋体７、および補助収納ボックス４ａ〜４ｆの蓋体８，８・・がすべて閉じられると、それらの蓋体によって、荷台スペースのタイヤハウスＨとウインドウ（サイドウインドウおよびリアウインドウ）Ｗとの間の高さ位置（図２におけるＡ）において水平面Ｆが形成される。そのため、それらの蓋体からなる水平面Ｆの上にも荷物を載置することが可能となる。
【００２６】
したがって、収納ボックスセット１を利用すれば、各サイド収納ボックス２ａ，２ｂ、センター収納ボックス３、および補助収納ボックス４ａ〜４ｆの内部に荷物を収納することが可能になるのと同時に、それらの各収納ボックスの蓋体（すなわち、蓋体６，蓋体７，蓋体８，８・・）からなる水平面Ｆの上にも荷物を載置することができるようになるため、収納ボックスセット１を使用しない場合に比べて、多くの荷物を整然と収納することが可能となる。さらに、各サイド収納ボックス２ａ，２ｂが、膨出部５，５を自動車ＶのタイヤハウスＨの後面と車両のリアドアＤとの隙間に嵌め込んだ状態で、センター収納ボックス３とともに、左右に隙間が形成されないように設置されるので、自動車Ｖの走行中に各収納ボックスががたついたりしない。
【００２７】
また、各収納ボックスの蓋体（すなわち、蓋体６，蓋体７，蓋体８，８・・）からなる水平面Ｆは、荷台スペースのタイヤハウスＨとウインドウ（サイドウインドウおよびリアウインドウ）Ｗとの間の高さ位置（図２におけるＡ）にした状態となるので、自動車Ｖの使用者が、荷物の出し入れを行い易い上、自動車Ｖの走行中に蓋体からなる水平面Ｆの上の荷物が転動した場合でも、ウインドウＷが破損する事態が起こりにくい。
【００２８】
＜収納ボックスセットの効果＞
収納ボックスセット１は、上記の如く、荷台スペースの左右に配置される左右対称で二個一対のサイド収納ボックス２ａ，２ｂと、それらのサイド収納ボックス２ａ，２ｂの間に設置される略直方体状のセンター収納ボックス３とを有しており、それらのサイド収納ボックス２ａ，２ｂおよびセンター収納ボックス３が、それぞれ、同一の高さの水平面Ｆを形成可能な蓋体６，６，７を設けたものである。したがって、収納ボックスセット１によれば、サイド収納ボックス２ａ，２ｂおよびセンター収納ボックス３の内部に荷物を収納することができる上、それらのサイド収納ボックス２ａ，２ｂおよびセンター収納ボックス３の蓋体６，６，７によって形成された水平面Ｆの上側にも、荷台スペースの床面上と同様に、自由に荷物を戴置することが可能となる。したがって、収納ボックスセット１によれば、荷台スペースの上側の空間を無駄にすることなく、有効に利用して、荷物を整然と収納することができる。また、収納ボックスセット１は、荷台スペース内に単純に戴置するだけのものであるので、荷台スペース内に特に大きな物品を収納する場合等には、大きな力を必要とすることなく、サイド収納ボックス２ａ，２ｂとセンター収納ボックス３とを別々に容易に外に出すことができる。したがって、収納ボックスセット１によれば、ビジネスやレジャーのＴＰＯに合わせてフレキシブルに荷物を収納することができる。
【００２９】
また、収納ボックスセット１は、サイド収納ボックス２ａ，２ｂが、自動車ＶのタイヤハウスＨの後面とリアドアＤとの隙間に嵌合可能な膨出部５を有するものであるため、“空きスペース”を形成することなく、荷台スペースをより有効に利用することができる。また、自動車の内壁面と、サイド収納ボックス２ａ，２ｂとの間の隙間が小さくなるため、自動車の走行時におけるサイド収納ボックス２ａ，２ｂのがたつきを低減させることができる。
【００３０】
また、収納ボックスセット１は、サイド収納ボックス２ａ，２ｂが、上面を開口した扁平な柱状の箱本体９に、蓋体６を観音開き可能に取り付けたものであるとともに、センター収納ボックス３が、上面を開口した扁平な柱状の箱本体１０に、蓋体７を観音開き可能に取り付けたものであるため、蓋体６，６，７が各収納ボックス２ａ，２ｂ，３の壁面で支えられた状態となり頑丈であるので、蓋体６，６，７によって形成された水平面Ｆの上に、荷重の大きな物品を収納することができる。
【００３１】
＜収納ボックスセットの変更例＞
本発明に係る収納ボックスセットの構成は、上記実施形態の態様に何ら限定されるものではなく、サイド収納ボックス、センター収納ボックス、補助収納ボックス、蓋体等の構成を、本発明の趣旨を逸脱しない範囲で必要に応じて適宜変更することができる。また、本発明に係る荷台スペースの利用方法の構成は、上記実施形態の態様に何ら限定されるものではなく、本発明の趣旨を逸脱しない範囲で必要に応じて適宜変更することができる。
【００３２】
たとえば、本発明に係る収納ボックスセットは、上記実施形態の如く、サイド収納ボックスが自動車のタイヤハウスの後面とリアドアとの隙間に嵌合可能な膨出部を有するものに限定されず、図５の如く、サイド収納ボックス２ａ’，２ｂ’が自動車のタイヤハウスを嵌め込み可能な凹部１２をも有するものや、サイド収納ボックスがタイヤハウスを嵌め込み可能な凹部のみを有するもの等に変更することも可能である。かかる構成を採用した場合には、荷台スペースのタイヤハウス周辺の“空きスペース”をより低減させることができ、荷台スペース内に非常に効率的に荷物を収納することが可能となる。
【００３３】
また、本発明に係る荷台スペースの利用方法は、上記実施形態の如く、複数の収納ボックスの蓋体のみによって同一の高さの水平面を形成するものに限定されず、合成樹脂やスチール製のラックや棚、およびそれらに固定される合成樹脂やスチール製の平板等を利用して同一の高さの水平面の少なくとも一部を形成するものでも良い。
【００３４】
さらに、収納ボックスセットを構成するサイド収納ボックスおよびセンター収納ボックスは、上記実施形態の如く、一定の大きさの矩形の合成樹脂製パネルを結合させたものに限定されず、蓋体以外の筐体が合成樹脂等によって一体的に形成されたもの等でも良い。また、蓋体は、筐体に対して観音開き状に設けられたものに限定されず、筐体の上端の周縁に戴置される（筐体の上端の周縁と嵌合した状態で戴置される）物等でも良い。
【００３５】
加えて、サイド収納ボックスおよびセンター収納ボックスの幅、奥行きや高さは、特に限定されず、自動車の荷台スペースの大きさに合わせて適宜変更することができる。また、収納ボックスセットは、上記実施形態の如く、サイド収納ボックスの奥行きとセンター収納ボックスの奥行きとが同一であるものに限定されず、サイド収納ボックス、センター収納ボックスの内のいずれかの奥行きが長いものでも良い。
【００３６】
また、本発明に係る収納ボックスセットは、上記実施形態の如く、２つのサイド収納ボックス、単一のセンター収納ボックス、および３つの補助収納ボックスからなるものに限定されず、サイド収納ボックスの間に設置されるセンター収納ボックスが複数であるものでも良いし、補助収納ボックスがないものや、２個以下あるいは４個以上の補助収納ボックスを有するもの（たとえば、補助収納ボックスが３個一列であるもの）でも良い。
【００３７】
一方、本発明に係る荷台スペースの利用方法は、上記実施形態の如く、複数の収納ボックスの蓋体のみによって同一の高さの水平面を形成するものに限定されず、必要に応じて蓋体の上面に、合成樹脂製あるいはスチール製の平板材（たとえば、蓋体の高さの荷台スペースの水平断面と略同一の大きさを有しており、車両の前後方向に沿った線で２つ折りや３つ折り等の複数の片に折り曲げることができるもの）を戴置することも可能である。
【産業上の利用可能性】
【００３８】
本発明に係る収納ボックスセットは、上記の如く優れた効果を奏するものであるので、ワンボックス系車両やワゴン系車両の後部座席後方の荷台スペースを有効に利用可能な収納器具として好適に用いることができる。
【符号の説明】
【００３９】
１・・収納ボックスセット
２ａ，２ｂ・・サイド収納ボックス
３・・センター収納ボックス
５・・膨出部
６，７，８・・蓋板
１２・・凹部
Ｖ・・自動車
Ｗ・・ウインドウ
【図１】
2017154589.tif 000003
【図２】
2017154589.tif 000004
【図３】
2017154589.tif 000005
【図４】
2017154589.tif 000006
【図５】
2017154589.tif 000007